(57)【要約】【課題】正規ユーザのＯＮＵでない不正なＯＮＵを接続又は認証しないようにすることが可能である加入者線端局装置及び判定方法を提供する。【解決手段】加入者線端局装置は、認証済の加入者線終端装置の識別子が登録されたリストを記憶する記憶部と、未認証の加入者線終端装置の識別子と同一の識別子がリストに登録済である場合、未認証の加入者線終端装置の認証を失敗させると判定する判定部とを備える。【選択図】図２
2018152795.tif 000002
【特許請求の範囲】
【請求項１】
認証済の加入者線終端装置の識別子が登録されたリストを記憶する記憶部と、
未認証の加入者線終端装置の識別子と同一の識別子が前記リストに登録済である場合、前記未認証の加入者線終端装置の認証を失敗させると判定する判定部と
を備える加入者線端局装置。
【請求項２】
接続済の加入者線終端装置の識別子が登録されたリストを記憶する記憶部と、
接続を要求するための信号である接続要求信号を送信した加入者線終端装置の識別子と同一の識別子が前記リストに登録済である場合、前記接続要求信号に応答しないと判定する判定部と
を備える加入者線端局装置。
【請求項３】
前記接続要求信号に応答しないと判定された場合に警報を出力し、同一の識別子が割り当てられた複数の加入者線終端装置のうちの一つである加入者線終端装置が自装置に接続されている状態で、同一の識別子が割り当てられた加入者線終端装置から自装置が前記接続要求信号を一定時間以上取得していない場合には前記警報を解除する警報部
を更に備える、請求項２に記載の加入者線端局装置。
【請求項４】
加入者線端局装置が実行する判定方法であって、
認証済の加入者線終端装置の識別子が登録されたリストを記憶するステップと、
未認証の加入者線終端装置の識別子と同一の識別子が前記リストに登録済である場合、前記未認証の加入者線終端装置の認証を失敗させると判定するステップと
を含む判定方法。
【発明の詳細な説明】
【技術分野】
【０００１】
本発明は、加入者線端局装置及び判定方法に関する。
【背景技術】
【０００２】
アクセスサービスの高速化に対するニーズの高まりに応じて、ＦＴＴＨ（Fiber To The Home）が世界的に普及している。ＦＴＴＨのサービスの大部分では、加入者線端局装置（OLT: Optical Line Terminal）が、時分割多重（TDM: Time Division Multiplexing）によって複数の加入者線終端装置（ONU： Optical Network Unit）を収容している。ＦＴＴＨのサービスは、経済性に優れた方式であるＰＯＮ（Passive Optical Network）方式によって提供される場合がある。
【０００３】
ＴＤＭ−ＰＯＮの上り通信では、各ＯＮＵは、ＯＬＴによって割り当てられたシステム帯域を共有している。各ＯＮＵは、ＯＬＴから自装置に通知された送信許可時間に光信号をＯＬＴに送信することによって、光信号同士の衝突を防いでいる。
【０００４】
現在の主力のＰＯＮシステムは、伝送速度がギガビット級であるＧＥ−ＰＯＮ（Gigabit Ethernet（登録商標） PON）や、Ｇ−ＰＯＮ（Gigabit capable PON）である（非特許文献１参照）。映像配信サービスの進展に加え、大容量ファイルをアップロード及びダウンロードするアプリケーションの登場などによって、ＰＯＮシステムには更なる大容量化が求められている。
【０００５】
ＯＮＵは、自装置に割り当てられた識別子を表す情報を含む接続要求信号を、ＯＬＴに送信する。ＯＬＴは、自装置への接続を要求したＯＮＵと自装置との間で、ＰＯＮシステムにおける通信のリンクであるＰＯＮリンクを確立する。ＰＯＮリンクを確立するためのシーケンスは、「ＩＥＥＥ  ｓｔａｎｄａｒｄ  ８０２．３−２０１２」に規定されている。
【０００６】
ＯＬＴは、自装置による認証が成功した認証済のＯＮＵとのみ通信できるようにするため、ＯＮＵの識別子に基づいてＯＮＵを認証する。ＯＬＴは、ＯＮＵを認証するためのシーケンスを、自装置にＯＮＵが接続された際にＰＯＮリンクが確立した状態で開始する（非特許文献２参照）。
【０００７】
ＯＬＴは、正規ユーザのＯＮＵに割り当てられた識別子を予め記憶している。正規ユーザのＯＮＵに割り当てられた識別子は、ＯＮＵごとに異なる。ＯＬＴは、ＯＮＵから受信した識別子と自装置が予め記憶している識別子とが一致した場合、ＯＮＵの認証を成功させる。ＯＬＴは、自装置による認証が成功した認証済のＯＮＵに割り当てられた識別子を、自装置の記憶部に記憶されているリストに登録する。
【先行技術文献】
【非特許文献】
【０００８】
【非特許文献１】“技術基礎講座  ＧＥ−ＰＯＮ技術、第三回  ＤＢＡ機能”, NTT技術ジャーナル2005.10
【非特許文献２】“IEEE Standard for Service Interoperability in Ethernet Passive Optical Networks (SIEPON)”, IEEE Std 1904.1-2013
【発明の概要】
【発明が解決しようとする課題】
【０００９】
正規ユーザのＯＮＵでない不正なＯＮＵは、自装置に割り当てられた識別子をＯＬＴに対して詐称することによって、不正な接続又は認証をＯＬＴに要求する場合がある。しかしながら、従来のＯＬＴは、正規ユーザのＯＮＵでない不正なＯＮＵを接続又は認証しないようにすることができない、という問題があった。
【００１０】
上記事情に鑑み、本発明は、正規ユーザのＯＮＵでない不正なＯＮＵを接続又は認証しないようにすることが可能である加入者線端局装置及び判定方法を提供することを目的としている。
【課題を解決するための手段】
【００１１】
本発明の一態様は、認証済の加入者線終端装置の識別子が登録されたリストを記憶する記憶部と、未認証の加入者線終端装置の識別子と同一の識別子が前記リストに登録済である場合、前記未認証の加入者線終端装置の認証を失敗させると判定する判定部とを備える加入者線端局装置である。
【００１２】
本発明の一態様は、接続済の加入者線終端装置の識別子が登録されたリストを記憶する記憶部と、接続を要求するための信号である接続要求信号を送信した加入者線終端装置の識別子と同一の識別子が前記リストに登録済である場合、前記接続要求信号に応答しないと判定する判定部とを備える加入者線端局装置である。
【００１３】
本発明の一態様は、上記の加入者線端局装置であって、前記接続要求信号に応答しないと判定された場合に警報を出力し、同一の識別子が割り当てられた複数の加入者線終端装置のうちの一つである加入者線終端装置が自装置に接続されている状態で、同一の識別子が割り当てられた加入者線終端装置から自装置が前記接続要求信号を一定時間以上取得していない場合には前記警報を解除する警報部を更に備える。
【００１４】
本発明の一態様は、加入者線端局装置が実行する判定方法であって、認証済の加入者線終端装置の識別子が登録されたリストを記憶するステップと、未認証の加入者線終端装置の識別子と同一の識別子が前記リストに登録済である場合、前記未認証の加入者線終端装置の認証を失敗させると判定するステップとを含む判定方法である。
【発明の効果】
【００１５】
本発明により、正規ユーザのＯＮＵでない不正なＯＮＵを接続又は認証しないようにすることが可能である。
【図面の簡単な説明】
【００１６】
【図１】第１実施形態における、光通信システムの構成の例を示す図である。
【図２】第１実施形態における、ＯＬＴの構成の例を示す図である。
【図３】第２実施形態における、ＯＬＴの構成の例を示す図である。
【図４】第３実施形態における、ＯＬＴの構成の例を示す図である。
【発明を実施するための形態】
【００１７】
本発明の実施形態について、図面を参照して詳細に説明する。
（第１実施形態）
図１は、光通信システム１の構成の例を示す図である。光通信システム１は、光信号を用いて通信するＰＯＮシステムである。第１実施形態の光通信システム１は、ＯＬＴ２ａと、光ファイバ３と、光スプリッタ４と、ＯＮＵ５−１〜５−Ｎ（Ｎは２以上の整数）とを備える。
【００１８】
ＯＬＴ２ａは、加入者線端局装置である。ＯＬＴ２ａは、ＯＮＵ５−１〜５−Ｎのうち正規ユーザのＯＮＵ５に割り当てられた識別子を、正規ユーザのＯＮＵ５ごとに予め記憶している。正規ユーザのＯＮＵ５に割り当てられた識別子は、正規ユーザのＯＮＵ５ごとに異なる。識別子は、特定の種類の識別子に限定されないが、例えば、ＭＡＣアドレス（Media Access Control address）である。
【００１９】
ＯＬＴ２ａは、接続要求信号を送信したＯＮＵ５と自装置との間で、ＰＯＮリンクを確立するためのシーケンスである接続シーケンスを実行する。接続シーケンスにおいて、ＯＬＴ２ａは、接続を要求するための信号である接続要求信号（Register Request）を取得する。接続要求信号は、ＭＡＣアドレス等の識別子を表す情報を含む。ＯＬＴ２ａは、接続要求信号を送信したＯＮＵ５を認証するためのシーケンスである認証シーケンスを、ＯＮＵ５と自装置との間でＰＯＮリンクが確立している状態で実行する。第１実施形態では、ＯＬＴ２ａは、接続要求信号を送信したＯＮＵ５が不正なＯＮＵ５であるか否かを、ＯＬＴ２ａがＯＮＵ５を認証する際に識別子に基づいて判定する。ＯＬＴ２ａは、認証済であることを表す信号を、認証済のＯＮＵ５に応答として送信してもよい。
【００２０】
光ファイバ３は、ＯＬＴ２ａとＯＮＵ５−１〜５−Ｎとの間で、光信号を伝送する。光スプリッタ４は、光ファイバ３をＯＮＵ５−１〜５−Ｎに分岐するように光通信システム１に備えられる。光スプリッタ４は、ＯＬＴ２ａとＯＮＵ５−１〜５−Ｎとの間で、光信号を合流又は分流して中継する。
【００２１】
ＯＮＵ５は、加入者線終端装置である。ＯＮＵ５は、自装置に割り当てられた識別子を予め記憶している。接続シーケンスにおいて、ＯＮＵ５は、自装置に割り当てられた識別子を表す情報を含む接続要求信号をＯＬＴ２ａに送信することによって、自装置とＯＬＴ２ａとの間の接続をＯＬＴ２ａに要求する。ＯＮＵ５は、接続要求信号に応答するための信号である応答信号をＯＬＴ２ａから取得した場合、自装置とＯＬＴ２ａとの間でＰＯＮリンクが確立したと判定する。光通信システム１に接続されたＯＮＵ５は、自装置とＯＬＴ２ａとの間でＰＯＮリンクが確立しない場合、所定周期で接続要求信号をＯＬＴ２ａに再送信する。光通信システム１に接続されたＯＮＵ５は、例えば、１秒周期で接続要求信号をＯＬＴ２ａに再送信する。
【００２２】
次に、ＯＬＴ２ａの構成の例を説明する。
図２は、ＯＬＴ２ａの構成の例を示す図である。ＯＬＴ２ａは、通信部２０ａと、制御部２１と、記憶部２２と、判定部２３ａとを備える。通信部２０ａと制御部２１と判定部２３ａとの一部又は全部は、例えば、ＣＰＵ（Central Processing Unit）等のプロセッサが、記憶部２２に記憶されたプログラムを実行することにより実現されてもよいし、ＬＳＩ（Large Scale Integration）やＡＳＩＣ（Application Specific Integrated Circuit）等のハードウェアを用いて実現されてもよい。
【００２３】
通信部２０ａは、光信号を送信又は受信するためのポートであるＰＯＮポートを備える。通信部２０ａは、光スプリッタ４、光ファイバ３及びＰＯＮポートを介して、光信号をＯＮＵ５から受信する。通信部２０ａが受信する光信号は、例えば、ＭＡＣアドレス等の識別子を表す情報を含む接続要求信号である。接続シーケンスにおいて、通信部２０ａは接続要求信号をＯＮＵ５から受信する。
【００２４】
通信部２０ａは、ＰＯＮポート、光ファイバ３及び光スプリッタ４を介して、光信号をＯＮＵ５に送信する。通信部２０ａが送信する光信号は、例えば、接続要求信号に応答するための信号である応答信号である。通信部２０ａは、接続要求信号に応答すると判定部２３ａによって判定された場合、接続要求信号に応答するための応答信号をＯＮＵ５に送信する。接続要求信号に応答するための応答信号は、例えば、ＬＬＩＤ（Logical Link. ID）を表す信号である。通信部２０ａは、接続済のＯＮＵ５のうちの認証済のＯＮＵ５に、所定データを表す光信号を送信してもよい。
【００２５】
制御部２１は、ＭＰＣＰ（Multi-Point Control Protocol）等の接続シーケンスを実行する。制御部２１は、接続が成功したＯＮＵ５の識別子を、自装置に接続済のＯＮＵ５の識別子が登録されたリスト（以下「接続済ＯＮＵリスト」という。）に登録する。制御部２１は、ＯＮＵ５を認証するためのシーケンスである認証シーケンスを、自装置に接続済のＯＮＵ５に対して実行する。制御部２１は、認証が成功した認証済のＯＮＵ５の識別子を、自装置による認証が成功した認証済のＯＮＵ５の識別子が登録されたリスト（以下「認証済ＯＮＵリスト」という。）に登録する。
【００２６】
記憶部２２は、例えば、磁気ハードディスク装置や半導体記憶装置等の不揮発性の記録媒体（非一時的な記録媒体）を有する記憶装置である。記憶部２２は、正規ユーザのＯＮＵ５に割り当てられた識別子が登録されたリスト（以下「正規ＯＮＵリスト」という。）を予め記憶している。記憶部２２は、接続済ＯＮＵリストを記憶する。記憶部２２は、認証済ＯＮＵリストを記憶する。
【００２７】
判定部２３ａは、正規ＯＮＵリストに登録されている識別子が割り当てられているＯＮＵ５のうち未認証のＯＮＵ５を、認証シーケンスの対象とする。判定部２３ａは、認証シーケンスの対象である未認証のＯＮＵ５の識別子と同一の識別子が認証済ＯＮＵリストに未登録である場合、未認証のＯＮＵ５の認証を成功させると判定する。判定部２３ａは、認証シーケンスの対象である未認証のＯＮＵ５の識別子と同一の識別子が認証済ＯＮＵリストに登録済である場合、未認証のＯＮＵ５の認証を失敗させると判定する。
【００２８】
以上のように、第１実施形態のＯＬＴ２ａは、記憶部２２と、判定部２３ａとを備える。記憶部２２は、認証済ＯＮＵリストを記憶する。判定部２３ａは、未認証のＯＮＵ５の識別子と同一の識別子が認証済ＯＮＵリストに登録済である場合、未認証のＯＮＵ５の認証を失敗させると判定する。
【００２９】
これによって、第１実施形態のＯＬＴ２ａは、正規ユーザのＯＮＵ５でない不正なＯＮＵ５を認証しないようにすることが可能である。第１実施形態のＯＬＴ２ａは、不正な認証を要求するＯＮＵ５を、早期に検出することができる。第１実施形態のＯＬＴ２ａは、不正な認証への耐性を高めることができる。第１実施形態のＯＬＴ２ａは、不正ユーザのＯＮＵ５の認証を成功させないので、正規ユーザのＯＮＵ５に送信された光信号が不正ユーザのＯＮＵ５に傍受されないようにすることができる。
【００３０】
（第２実施形態）
第２実施形態では、不正なＯＮＵ５の接続をＯＬＴが認証シーケンスよりも前に拒否する点が、第１実施形態と相違する。第２実施形態では、第１実施形態との相違点についてのみ説明する。
【００３１】
ＯＬＴ５がＰＯＮリンクを確立することができるＯＮＵの数には、ハードウェアやソフトウェアの制約に応じて、３２台、６４台又は１２８台等の上限が定められている。正規ユーザのＯＮＵ５でない不正なＯＮＵ５がＯＬＴとの間でＰＯＮリンクを確立したことによって、ＰＯＮリンクを確立したＯＮＵ５の数が上限に達した場合には、未接続の正規ユーザのＯＮＵ５は、ＯＬＴとの間でＰＯＮリンクを確立することができない。したがって、不正なＯＮＵ５の接続を認証シーケンスよりも前に拒否することが、不正なＯＮＵ５の認証を認証シーケンスにおいて拒否する場合と比較して望ましい。
【００３２】
第２実施形態の光通信システム１は、図１に示すＯＬＴ２ａの代わりに、ＯＬＴ２ｂを備える。すなわち、第２実施形態の光通信システム１は、ＯＬＴ２ｂと、光ファイバ３と、光スプリッタ４と、ＯＮＵ５−１〜５−Ｎとを備える。ＯＬＴ２ｂは、ＯＮＵ５の接続シーケンス（ＭＰＣＰ  Ｄｉｓｃｏｖｅｒｙ）において、接続要求信号の送信元であるＯＮＵ５のＭＡＣアドレスと接続済のＯＮＵ５のＭＡＣアドレスとの重複を検出する。すなわち、ＯＬＴ２ｂは、自装置が認証シーケンスを実行する前に、ＭＡＣアドレスの重複を検出する。ＯＬＴ２ｂは、接続済のＯＮＵ５のＭＡＣアドレスと同一であるＭＡＣアドレスのＯＮＵ５と自装置との間では、ＰＯＮリンクを確立しない。
【００３３】
次に、ＯＬＴ２ｂの構成の例を説明する。
図３は、ＯＬＴ２ｂの構成の例を示す図である。ＯＬＴ２ｂは、通信部２０ｂと、制御部２１と、記憶部２２と、判定部２３ｂとを備える。通信部２０ｂは、接続要求信号に応答すると判定部２３ｂによって判定された場合、接続要求信号に応答するための応答信号をＯＮＵ５に送信する。通信部２０ｂは、接続要求信号に応答しないと判定部２３ｂによって判定された場合、接続要求信号に応答するための応答信号の送信を抑止する。
【００３４】
判定部２３ｂは、接続要求信号を送信したＯＮＵ５の識別子と同一の識別子が接続済ＯＮＵリストに未登録である場合、接続要求信号に応答すると判定する。判定部２３ｂは、接続要求信号を送信したＯＮＵ５の識別子と同一の識別子が接続済ＯＮＵリストに登録済である場合、接続要求信号に応答しないと判定する。すなわち、判定部２３ｂは、接続要求信号を送信したＯＮＵ５の識別子と同一の識別子が接続済ＯＮＵリストに登録済である場合、接続要求信号に応答するための応答信号の送信を抑止する。
【００３５】
以上のように、第２実施形態のＯＬＴ２ｂは、記憶部２２と、判定部２３ｂとを備える。記憶部２２は、接続済ＯＮＵリストを記憶する。判定部２３ｂは、接続を要求するための信号である接続要求信号を送信したＯＮＵ５の識別子と同一の識別子が接続済ＯＮＵリストに登録済である場合、接続要求信号に応答しないと判定する。
【００３６】
これによって、第２実施形態のＯＬＴ２ｂは、正規ユーザのＯＮＵ５でない不正なＯＮＵ５を接続しないようにすることが可能である。第２実施形態のＯＬＴ２ｂは、不正な接続を要求するＯＮＵ５を、より早期に検出することができる。第２実施形態のＯＬＴ２ｂは、不正な接続への耐性を高めることができる。
【００３７】
第２実施形態のＯＬＴ２ｂは、同一のＭＡＣアドレスが割り当てられた複数のＯＮＵ５のＰＯＮリンクを確立させないようにすることができる。第２実施形態のＯＬＴ２ｂは、先に自装置に接続されたＯＮＵ５のＭＡＣアドレスと同一のＭＡＣアドレスのＯＮＵ５が接続要求信号を自装置に送信した場合でも、異なるＬＬＩＤを用いて複数のＯＮＵ５を自装置に接続しないようにすることができる。第２実施形態のＯＬＴ２ｂは、ＯＮＵ５の接続数が上限に達することを、ＯＮＵ５の接続シーケンス（ＭＰＣＰ  Ｄｉｓｃｏｖｅｒｙ）において防止することができるので、正規ユーザのＯＮＵ５がＯＬＴ２ｂへの接続に失敗することを防止することができる。
【００３８】
第２実施形態のＯＬＴ２ｂは、ＰＯＮリンクを確立しないので、認証シーケンスを実行する必要がなく、不正なＯＮＵ５との通信ができないようにすることができる。第２実施形態のＯＬＴ２ｂは、不正ユーザのＯＮＵ５の認証を成功させないので、正規ユーザのＯＮＵ５に送信された光信号が不正ユーザのＯＮＵ５に傍受されないようにすることができる。
【００３９】
（第３実施形態）
第３実施形態では、ＯＮＵ５が警報を出力する点が、第２実施形態と相違する。第３実施形態では、第２実施形態との相違点についてのみ説明する。
【００４０】
第３実施形態の光通信システム１は、第２実施形態のＯＬＴ２ｂの代わりに、ＯＬＴ２ｃを備える。すなわち、第３実施形態の光通信システム１は、ＯＬＴ２ｃと、光ファイバ３と、光スプリッタ４と、ＯＮＵ５−１〜５−Ｎとを備える。ＯＬＴ２ｃは、接続要求信号を送信したＯＮＵ５の識別子と同一の識別子が接続済ＯＮＵリストに登録済である場合、接続要求信号に応答するための応答信号の送信を抑止する。ＯＬＴ２ｃは、正規ユーザのＯＮＵ５でない不正なＯＮＵ５から接続要求があったことを表す警報を、ＯＬＴ２ｃの運用者に通知する。ＯＬＴ２ｃは、不正なＯＮＵ５から送信された接続要求信号の受信時刻の間隔を監視する。
【００４１】
光ファイバ３に接続されている不正なＯＮＵ５は、自装置とＯＬＴ２ｃとの間でＰＯＮリンクが確立しない場合、接続要求信号をＯＬＴ２ａに所定周期で再送信する。不正なＯＮＵ５は、光ファイバ３から外されてＯＬＴ２ｃに接続されなくなった場合、接続要求信号をＯＬＴ２ｃに送信できなくなる。
【００４２】
図４は、ＯＬＴ２ｃの構成の例を示す図である。ＯＬＴ２ｃは、通信部２０ｃと、制御部２１と、記憶部２２と、判定部２３ｃと、警報部２４とを備える。通信部２０ｃと制御部２１と判定部２３ｃと警報部２４との一部又は全部は、例えば、ＣＰＵ等のプロセッサが、記憶部２２に記憶されたプログラムを実行することにより実現されてもよいし、ＬＳＩやＡＳＩＣ等のハードウェアを用いて実現されてもよい。通信部２０ｃは、警報部２４が出力した警報を表す信号を、他の通信装置に送信してもよい。
【００４３】
判定部２３ｃは、接続要求信号に応答するための応答信号の送信が抑止されている状態で、不正なＯＮＵ５から再送信される接続要求信号の受信時刻の間隔を、ＯＮＵ５が接続要求信号を再送信する所定周期よりも短い一定周期で監視する。
【００４４】
警報部２４は、判定部２３ｃによる判定結果を取得する。警報部２４は、接続要求信号に応答しないと判定部２３ｃによって判定された場合に警報を出力する。つまり、警報部２４は、正規ユーザのＯＮＵ５でない不正なＯＮＵ５から接続要求があったことを表す警報を、ＯＬＴ２ｃの運用者に通知する。警報部２４は、例えば、液晶ディスプレイ等の出力デバイスに警報を出力する。
【００４５】
警報部２４は、所定条件に基づいて警報を解除する。例えば、警報部２４は、同一の識別子が割り当てられた複数のＯＮＵ５のうちの一つであるＯＮＵ５が自装置に接続されている状態で、同一の識別子が割り当てられたＯＮＵ５から自装置が接続要求信号を一定時間以上取得していない場合には、警報を解除する。一定時間は、例えば、１分間である。
【００４６】
以上のように、第３実施形態のＯＬＴ２ｃは、第２実施形態のＯＬＴ２ｂと比較して、警報部２４を更に備える。警報部２４は、接続要求信号に応答しないと判定された場合に警報を出力する。警報部２４は、同一の識別子が割り当てられた複数のＯＮＵ５のうちの一つであるＯＮＵ５が自装置に接続されている状態で、同一の識別子が割り当てられたＯＮＵ５から自装置が接続要求信号を一定時間以上取得していない場合には、警報を解除する。
【００４７】
これによって、第３実施形態のＯＬＴ２ｃは、接続要求信号に応答しないと判定部２３ｃによって判定された場合に警報を出力することができる。第３実施形態のＯＬＴ２ｃは、接続要求信号を一定時間以上取得していない場合には、所定条件に基づいて警報を解除することができる。ＯＬＴ２ｃの運用者は、正規ユーザのＯＮＵ５でない不正なＯＮＵ５からの接続要求信号が受信されなくなったことを知ることができる。
【００４８】
上述した実施形態におけるＯＬＴ、ＯＮＵの少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４９】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００５０】
本発明は、加入者線端局装置に適用可能である。
【符号の説明】
【００５１】
１…光通信システム、２ａ，２ｂ，２ｃ…ＯＬＴ、３…光ファイバ、４…光スプリッタ、５…ＯＮＵ、２０ａ，２０ｂ，２０ｃ，…通信部、２１…制御部、２２…記憶部、２３ａ，２３ｂ，２３ｃ…判定部、２４…警報部
【図１】
2018152795.tif 000003
【図２】
2018152795.tif 000004
【図３】
2018152795.tif 000005
【図４】
2018152795.tif 000006